(57)【特許請求の範囲】
【請求項１】
金属製筐体と、
前記金属製筐体内に配置され、光源に電力を供給する電源回路と、
前記金属製筐体内に配置されたアンテナと、
前記金属製筐体内に配置され、前記アンテナを介して無線信号を受信する無線回路と、
前記無線回路により受信された無線信号に従って前記電源回路を制御する制御回路と、
前記金属製筐体の外部と内部とを連通する少なくとも１つの開口部と、
両端が開放された導電性を有する線材であって、前記金属製筐体と絶縁され、前記少なくとも１つの開口部に挿入された線材と、
管状のガイド部材とを備え、
前記ガイド部材の一方の端部は、１つの前記開口部に接続され、他方の端部は前記金属製筐体の内部に位置し、
前記線材は、前記ガイド部材に挿入され保持され、
前記線材は、前記ガイド部材に着脱可能である
照明器具。
【請求項２】
金属製筐体と、
前記金属製筐体内に配置され、光源に電力を供給する電源回路と、
前記金属製筐体内に配置されたアンテナと、
前記金属製筐体内に配置され、前記アンテナを介して無線信号を受信する無線回路と、
前記無線回路により受信された無線信号に従って前記電源回路を制御する制御回路と、
前記金属製筐体の外部と内部とを連通する少なくとも１つの開口部と、
両端が開放された導電性を有する線材であって、前記金属製筐体と絶縁され、前記少なくとも１つの開口部に挿入された線材と、
管状のガイド部材とを備え、
前記ガイド部材の一方の端部は、１つの前記開口部に接続され、他方の端部は前記金属製筐体の内部に位置し、
前記線材は、前記ガイド部材に挿入され保持され、
前記ガイド部材は屈曲性を有する
照明器具。
【請求項３】
金属製筐体と、
前記金属製筐体内に配置され、光源に電力を供給する電源回路と、
前記金属製筐体内に配置されたアンテナと、
前記金属製筐体内に配置され、前記アンテナを介して無線信号を受信する無線回路と、
前記無線回路により受信された無線信号に従って前記電源回路を制御する制御回路と、
前記金属製筐体の外部と内部とを連通する少なくとも１つの開口部と、
両端が開放された導電性を有する線材であって、前記金属製筐体と絶縁され、前記少なくとも１つの開口部に挿入された線材と、
管状のガイド部材とを備え、
前記ガイド部材の一方の端部は、１つの前記開口部に接続され、他方の端部は前記金属製筐体の内部に位置し、
前記線材は、前記ガイド部材に挿入され保持され、
前記ガイド部材の長さは前記無線信号の略４分の１波長に相当する
照明器具。
【請求項４】
金属製筐体と、
前記金属製筐体内に配置され、光源に電力を供給する電源回路と、
前記金属製筐体内に配置されたアンテナと、
前記金属製筐体内に配置され、前記アンテナを介して無線信号を受信する無線回路と、
前記無線回路により受信された無線信号に従って前記電源回路を制御する制御回路と、
前記金属製筐体の外部と内部とを連通する少なくとも１つの開口部と、
両端が開放された導電性を有する線材であって、前記金属製筐体と絶縁され、前記少なくとも１つの開口部に挿入された線材と、
管状のガイド部材とを備え、
前記ガイド部材の一方の端部は、１つの前記開口部に接続され、他方の端部は前記金属製筐体の内部に位置し、
前記線材は、前記ガイド部材に挿入され保持され、
前記ガイド部材の前記他方の端部は閉じている
照明器具。
【請求項５】
金属製筐体と、
前記金属製筐体内に配置され、光源に電力を供給する電源回路と、
前記金属製筐体内に配置されたアンテナと、
前記金属製筐体内に配置され、前記アンテナを介して無線信号を受信する無線回路と、
前記無線回路により受信された無線信号に従って前記電源回路を制御する制御回路と、
前記金属製筐体の外部と内部とを連通する複数の開口部と、
両端が開放された導電性を有する線材であって、前記金属製筐体と絶縁され、前記少な
くとも１つの開口部に挿入された線材とを備え、
複数の前記開口部は、前記金属製筐体の互いに異なる面に形成される
照明器具。
【請求項６】
前記照明器具は、さらに、前記線材の一端に直列に接続された、または前記線材に直列に挿入された誘導性素子または容量性素子を備え、
前記誘導性素子または容量性素子は、前記金属製筐体内外の前記線材以外の回路に直接接続されず、かつ、前記金属製筐体と絶縁される
請求項１〜５の何れか１項に記載の照明器具。
【請求項７】
前記無線信号はＵＨＦ（Ultra High Frequency）帯に含まれる
請求項１〜６の何れか１項に記載の照明器具。
【発明の詳細な説明】
【技術分野】
【０００１】
本発明は、無線通信機能を有する照明器具に関する。
【背景技術】
【０００２】
近年、リモコン等の制御装置からの無線信号で動作が制御される照明装置が屋内や屋外など様々な環境で使用されている。
【０００３】
特許文献１は、蛍光灯等の、無線通信用の無線制御インターフェースを備えた照明器具を開示している。この無線制御インターフェースの受信機入力及び送信機出力は結合キャパシタ又はレッヘル線トランスによって１つ又は複数の電源線に接続される。動作時には１つ又は複数の電源線が照明器具のアンテナとしての役割を果たす。これにより特許文献１は、受信機および送信機が金属製筐体に内蔵された状態でも、無線通信を可能にしている。
【先行技術文献】
【特許文献】
【０００４】
【特許文献１】特表２００７−５３３０９４号公報
【発明の概要】
【発明が解決しようとする課題】
【０００５】
しかしながら、特許文献１の電源線は、無線周波数に適した長さになっていないことから、アンテナとしての良好な性能を発揮できないという課題がある。
【０００６】
本発明は、金属製筐体内に無線回路およびアンテナが配置されている場合に、金属製筐体内のアンテナの性能を向上させる照明器具を提供することを目的とする。
【課題を解決するための手段】
【０００７】
上記目的を達成するために、本発明に係る照明器具の一形態は、金属製筐体と、前記金属製筐体内に配置され、光源に電力を供給する電源回路と、前記金属製筐体内に配置されたアンテナと、前記金属製筐体内に配置され、前記アンテナを介して無線信号を受信する無線回路と、前記無線部により受信された無線信号に従って前記電源回路を制御する制御回路と、前記金属製筐体の外部と内部とを連通する少なくとも１つの開口部と、両端が開放された導電性を有する線材であって、前記金属製筺体と絶縁され、前記少なくとも１つの開口部に挿入された導電性を有する線材とを備える。
【発明の効果】
【０００８】
本発明に係る照明器具によれば、金属製筐体内のアンテナの性能を向上させることができる。
【図面の簡単な説明】
【０００９】
【図１】図１は、実施の形態における照明システムの構成例を示すブロック図である。
【図２Ａ】図２Ａは、実施の形態における照明器具の構成例を示す断面図である。
【図２Ｂ】図２Ｂは、実施の形態における照明器具の構成例を示す上面図である。
【図３】図３は、実施の形態における金属製筐体の構成例を示す斜視図である。
【図４Ａ】図４Ａは、実施の形態における線材およびガイド部材の構成例を示す図である。
【図４Ｂ】図４Ｂは、実施の形態における線材およびガイド部材の他の構成例を示す図である。
【図４Ｃ】図４Ｃは、実施の形態における線材およびガイド部材の変形例を示す図である。
【図４Ｄ】図４Ｄは、実施の形態における線材およびガイド部材の他の変形例を示す図である。
【図５】図５は、実施の形態における照明器具のＲＳＳＩ（Received Signal Strength Indicator）および通信成功率を示す図である。
【図６】図６は、実施の形態における照明器具の他の構成例を示す側面図である。
【発明を実施するための形態】
【００１０】
以下、本発明の実施の形態について、図面を用いて詳細に説明する。なお、以下で説明する実施の形態は、いずれも本発明の好ましい一具体例を示す。以下の実施の形態で示される数値、形状、材料、構成要素、構成要素の配置位置及び接続形態等は、一例であり、本発明を限定する主旨ではない。また、以下の実施の形態における構成要素のうち、本発明の最上位概念を示す独立請求項に記載されていない構成要素については、より好ましい形態を構成する任意の構成要素として説明する。また、各図は、模式図であり、必ずしも厳密な寸法を表すものではない。
【００１１】
（実施の形態）
まず、照明システムの構成例について説明する。
【００１２】
［照明システムの構成例］
図１は、実施の形態における照明システムの構成例を示すブロック図である。同図の照明システムは、制御装置１０および複数の照明器具２０を備える。
【００１３】
制御装置１０は、例えばタブレット型の携帯端末装置であり、複数の照明器具２０のそれぞれを制御する。そのため、制御装置１０は、無線部１１および制御部１２を備える。
【００１４】
無線部１１は、複数の照明器具２０のそれぞれと無線通信する。例えば、無線部１１は、制御部１２からのコマンドを何れかの照明器具２０に送信し、当該照明器具２０からの応答を受信する。
【００１５】
制御部１２は、照明器具２０に対する各種コマンドを生成し、生成したコマンドを、無線部１１を介して照明器具２０に送信する。また、制御部１２は、無線部１１を介して照明器具２０からの応答を受信する。各種コマンドには、例えば、点灯、消灯、調光、調色等を指示するコマンドがある。
【００１６】
複数の照明器具２０のそれぞれは、光源２１、電源回路２２、制御回路２３、無線回路２４、アンテナ２４ａ、線材２５およびガイド部材２５ｇを備える。また、図１中の破線枠は金属製筐体５２０を表す。
【００１７】
金属製筐体５２０は、電源回路２２、制御回路２３、無線回路２４およびアンテナ２４ａを収容する。ただし、金属製筐体５２０は、少なくとも無線回路２４およびアンテナ２４ａを収容していればよい。金属製筐体５２０は、例えばアルミニウム製であり、その表面を貫通する少なくとも１つの開口部５２０ａを有する。
【００１８】
開口部５２０ａは、例えば、金属製筐体５２０を構成する複数の面のそれぞれに設けられている。開口部５２０ａの形状は、線材２５またはガイド部材２５ｇの断面と相似する形状である。開口部５２０ａの大きさは、線材２５またはガイド部材２５ｇを保持するために、線材２５またはガイド部材２５ｇの断面の大きさよりやや大きい。
【００１９】
光源２１は、例えば発光素子として、ＬＥＤ（Light Emitting Diode）、有機ＥＬ（Electro-Luminescence）素子、蛍光灯等の何れかを含む。
【００２０】
電源回路２２は、金属製筐体５２０内に配置され、光源２１に電力を供給する点灯回路である。
【００２１】
制御回路２３は、金属製筐体５２０内に配置され、無線回路２４により受信された無線信号に従って電源回路２２を制御する。
【００２２】
無線回路２４は、金属製筐体５２０内に配置され、アンテナ２４ａを介して無線信号を受信する。本実施の形態では、無線信号は、無線回路２４は、３００ＭＨｚ〜３ＧＨｚのＵＨＦ（Ultra High Frequency）帯に含まれるものとする。
【００２３】
アンテナ２４ａは、金属製筐体５２０内に配置され、例えば、無線回路２４と同じ回路基板上にパターン配線として形成される。
【００２４】
線材２５は、両端が開放された導電性を有する線材であって、かつ、金属製筺体５２０と絶縁され、少なくとも１つの開口部５２０ａに挿入される。ここで「両端が開放された線材」というのは、より詳しくは次の意味である。すなわち、線材２５はフローティング状態である。より詳しく言うと、線材２５は、両端が開放された導電性を有する線材であって、金属製筐体５２０内外の他の回路とも直接配線によって接続されていない。しかし、線材２５は、アンテナ２４ａと共に無線信号である高周波信号と共振可能、つまりアンテナ２４ａと高周波帯域で電磁的には結合する。これにより、線材２５は、アンテナ２４ａを補助する。すなわち、開口部５２０ａに挿入された線材２５は、無線信号である電波の通り道になるので、アンテナ２４ａの受信性能および送信性能を向上させる。別の言い方をすれば、線材線材２５は、アンテナ２４ａとともに１つのアンテナを構成する補助アンテナである。
【００２５】
線材２５は、例えば、塩化ビニルで被覆された銅線であるＰＶＣ（PolyVinyl Chloride）線でよい。ＰＶＣ線はビニル線とも呼ばれる。線材２５は、開口部５２０ａにそのまま単独で挿入および保持されてもよいし、開口部５２０ａに接続されたガイド部材２５ｇに挿入および保持されてもよい。
【００２６】
ガイド部材２５ｇは、線材２５を開口部５２０ａに挿入するためのガイドをする管状の部材である。ガイド部材２５ｇの一方の端部は、開口部５２０ａに接続され、他方の端部は金属性筐体５２０の内部に位置する。線材２５は、ガイド部材２５ｇに挿入され保持される。このガイド部材２５ｇは、照明器具２０の設置工事において、線材２５を開口部５２０ａに単体で挿入する場合に比べて、線材２５を挿入する作業を、容易かつ確実にする。
【００２７】
［照明器具の構成例］
次に、照明器具２０の構成例について説明する。
【００２８】
図２Ａは、実施の形態における照明装置２０の構成例を示す断面図である。図２Ｂは、実施の形態における照明器具２０の構成例を示す上面図である。
【００２９】
図２Ａ及び図２Ｂの照明器具２０は、住宅などの天井５８０に埋込配設されることにより下方（床又は壁）に光を照射するダウンライトなどの埋込型の照明器具である。
【００３０】
図２Ａおよび図２Ｂに示すように、照明器具２０は、光源２１と、、金属製筐体５２０と、取付部５５０とを備える。光源２１は、発光部５３０を内蔵する器具本体５１０を含む。
【００３１】
金属製筐体５２０は、設置面との間に空間５８２を形成するように、設置面に設置されている。設置面は、天井５８０の上面、すなわち、天井裏側の面である。金属製筐体５２０は、例えば、アルミニウムなどの金属製板部材を折曲することにより成形される。
【００３２】
図２Ａおよび図２Ｂでは、金属製筐体５２０は略直方体状の筐体である。金属製筐体５２０内には、電源基板２３０および無線基板２４０が内蔵されている。また、金属製筐体５２０は、側面に開口部５２０ａを有する。開口部５２０ａには、線材２５およびガイド部材２５ｇが挿入されている。なお、開口部５２０ａは、１つの側面だけでなく、他の側面、上面、下面にも設けられていてもよい。こうすれば、複数の開口部５２０ａのうち、線材２５が挿入および保持される１つ以上の開口部５２０ａを選択できる。
【００３３】
電源基板２３０は、図１に示した電源回路２２および制御回路２３を有する。電源基板２３０は、発光部５３０を点灯させるための電力を供給する。また、電源基板２３０は、発光部５３０の点灯、消灯、調光、調色等を制御する。
【００３４】
無線基板２４０は、図１に示した無線回路２４およびアンテナ２４ａが形成されている。
【００３５】
照明器具２０は、さらに、取り付け用バネ５４０と、取り付け部５５０とを備える。
【００３６】
発光部５３０は、発光素子を有する発光モジュールであり、所定の光を放出する。本実施の形態では、発光部５３０は、ＣＯＢ（Chip On Board）型の発光モジュール、又は、ＳＭＤ（Surface Mounted Device）型のＬＥＤ（Light Emitting Diode）素子が用いられた発光モジュールである。
【００３７】
器具本体５１０は、発光部５３０を内蔵する筐体であり、例えば、略円錐台状である。器具本体５１０の外周面には、取り付け用バネ５４０が取り付けられている。また、器具本体５１０の外周面には、外側に向けて突出する複数の放熱フィンが設けられていてもよい。
【００３８】
取り付け用バネ５４０は、器具本体５１０の外周面に固定され、外向きに付勢されている。取り付け用バネ５４０は、埋込孔５８１への照明器具２０（器具本体５１０）の取り付けに用いられる。
【００３９】
取り付け部５５０は、交流電力の供給元である系統電力（商用電源）に接続されたケーブルに接続される。取り付け部５５０は、ケーブルを介して取得した交流電力を金属製筐体５２０内の電源基板２３０にケーブル５６０を介して給電する。取り付け部５５０は、金属製筐体５２０の長手方向の一端に設けられる。
【００４０】
ケーブル５６０は、取り付け部５５０が受けた交流電力を金属製筐体５２０内の電源基板２３０に供給するためのケーブルである。ケーブル５６１は、金属製筐体５２０内の電源基板２３０が、器具本体５１０内の発光部５３０に電力を供給するためのケーブルである。
【００４１】
［金属製筐体の構成例］
さらに、金属製筐体５２０の構成例について説明する。
【００４２】
図３は、実施の形態における金属製筐体５２０の構成例を示す斜視図である。この金属製筐体５２０の構成例では、１つの側面および反対側の側面のそれぞれに開口部５２０ａを有している。各開口部５２０ａにはガイド部材２５ｇが接続されている。２つのガイド部材２５ｇの一方には線材２５が挿入および保持されている。
【００４３】
また、金属製筐体５２０の内部には破線で示す無線基板２４０内の無線回路２４およびアンテナ２４ａが含まれる。線材２５とアンテナ２４ａは直接接続されないけれども、線材２５の一部を金属製筐体５２０内、線材２５の他部を金属製筐体５２０外に配置することにより、補助アンテナとして機能する。すなわち、線材２５は、電波にとって、金属製筐体５２０内部と外部を接続する通り道となる。その結果、アンテナ２４ａは、金属製筐体５２０外部の電波とより強い共振をし易くなる。
【００４４】
なお、アンテナ２４ａと線材２５の位置関係については、特に制約はない。つまり、金属製筐体５２０という限られた空間内では、アンテナ２４ａと線材２５とが近くても遠くでも、平行でもねじれの関係にあっても大差がなく、上記の位置関係を特に制約する必要がない。
【００４５】
［線材およびガイド部材の構成例］
次に、線材２５とガイド部材２５ｇの構成例について説明する。
【００４６】
図４Ａは、実施の形態における線材２５およびガイド部材２５ｇの構成例を示す図である。同図は、金属製筐体５２０の開口部５２０ａに、ガイド部材２５ｇおよび線材２５が保持された状態を示している。
【００４７】
同図では、線材２５の長さは、約λ／２、すなわち無線信号の略半波長に相当する。この点、線材２５の長さは任意の長さでもよい。アンテナ２４ａの性能向上をより大きく図るには、アンテナ２４ａに受信または送信される無線信号の半波長のであることが望ましい。無線信号がＵＨＦ帯である場合、ＵＨＦ帯の無線信号の波長は１ｍ〜１０ｃｍであり、線材の長さは５０ｃｍ〜５ｃｍである。
【００４８】
ガイド部材２５ｇの一方の端部は開口部５２０ａに接続され、他方の端部は金属性筐体５２０の内部に位置する。同図では、ガイド部材２５ｇの長さは、約λ／４、すなわち無線信号の略４分の１波長に相当する。つまり、ガイド部材２５ｇの長さは線材２５の約半分が金属製筐体５２０内に配置されるような長さである。このガイド部材２５ｇの長さは、線材２５よりも短ければ任意でもよい。アンテナ２４ａの性能向上をより大きく図るには、ガイド部材２５ｇの長さは略４分の１波長であることが望ましい。
【００４９】
また、ガイド部材２５ｇの２つの端部のうち、金属製筐体５２０内の端部は、閉じていることが望ましい。これにより、線材２５をガイド部材２５ｇに挿入する作業において、線材２５の位置決めを容易かつ確実にすることができる。言い換えれば、線材２５の金属製筐体５２０内に配置される長さを容易かつ確実に最適化すことができる。
【００５０】
図４Ｂは、実施の形態における線材２５およびガイド部材２５ｇの説明図を示す図である。図４Ｂに示すようにガイド部材２５ｇは、屈曲性を有している。線材２５も、ＰＶＣ線であれば屈曲性を有している。これにより、金属製筐体５２０が小型である場合でも、ガイド部材２５ｇを金属製筐体５２０に組み込むことが容易になる。また、金属製筐体５２０内の他の部品とガイド部材２５ｇとの干渉を避けることを容易にする。
【００５１】
また、線材２５のうち金属製筐体５２０外部の部分の向きを変更することにより、線材２５の補助アンテナとしての指向性を変更することができる。
【００５２】
次に、線材２５の変形例について説明する。
【００５３】
図４Ｃは、実施の形態における線材２５およびガイド部材２５ｇの変形例を示す図である。図４Ｃの線材２５の一端には素子２５ｅが接続される。線材２５と素子２５ｅとは直列に接続される。また、図４Ｄは、実施の形態における線材２５およびガイド部材２５ｇの変形例を示す図である。図４Ｄの線材２５には素子２５ｅが挿入される。線材２５の一部分と素子２５ｅと線材２５の残りの部分とは直列に接続される。
【００５４】
素子２５ｅは、金属製筺体５２０内外の線材２５以外の回路に直接接続されず、かつ、金属製筺体５２０と絶縁される。この素子２５ｅは、誘導性素子または容量性素子である。
【００５５】
誘導性素子は、延長コイルとして機能する。つまり、素子２５ｅが誘導性素子である場合は、補助アンテナとしての線材２５の物理的な長さを短縮することができる。
【００５６】
容量性素子は、短縮コンデンサとして機能する。つまり、素子２５ｅが容量性素子である場合は、補助アンテナとしての線材２５の物理的な長さを伸長することができる。
【００５７】
例えば、インダクタンスまたはキャパシタンスが互いに異なる複数の素子２５ｅを用いて、互いに物理的な長さが異なる複数の線材２５を予め用意することができる。照明器具２０の設置工事において、金属製筐体５２０のサイズ、照明器具２０の設置スペース、設置環境等に応じて、複数の線材２５から適切な長さの線材２５を選択することができる。例えば、金属製筐体５２０が小型である場合に、または、金属製筐体５２０内部に線材２５を配置するスペースが十分に確保できない場合に、誘導性素子付きの線材２５は有用である。
【００５８】
さらに、図４Ｄの素子２５ｅは、線材２５をガイド部材２５ｇに挿入するときのストッパーとしても機能する。これにより、ガイド部材２５ｇの両端部のうち、金属製筐体５２０内の端部が閉じていなくても、金属製筐体５２０の内部における線材２５の長さおよび外部における線材２５の長さを適切かつ容易に確保することができる。
【００５９】
なお、図４Ｃおよび図４Ｄでは、素子２５ｅが金属製筐体５２０外部に位置するが、金属製筐体５２０内部に位置してもよい。
【００６０】
［線材２５による性能向上］
次に、線材２５によるアンテナ２４ａの性能向上について、実験データに基づいて説明する。
【００６１】
図５は、実施の形態における照明器具２０のＲＳＳＩ（Received Signal Strength Indicator）および通信成功率を示す図である。
【００６２】
同図の横軸は、図２Ｂに示した照明器具２０を天井５８０と平行な平面上を光源２１を中心に回転させたときの、照明器具２０の取り付け角度を示す。測定開始時の取り付け角度を０度としている。左側の縦軸は、ＲＳＳＩつまり受信電界強度を示す。右側の縦軸は、無線信号のパケットエラーが発生しなかった通信成功率を示す。通信成功率の０は全パケットでエラー発生、通信成功率の１はパケットエラーなしを示す。
【００６３】
四角マークを測定点とする破線は、線材２５が無いときのＲＳＳＩを示す。菱形マークを測定点とする点線は、線材２５が無いときの通信成功率を示す。
【００６４】
線材２５が無いとき、取り付け角度が０度ではＲＳＳＩが−１１０ｄＢであり、通信成功率が０であり、無線通信できない状態にある。
【００６５】
また、線材２５がないとき、取り付け角度が９０度、１８０度、２７０度では、ＲＳＳＩが−９０〜−８０の範囲内にあり、通信成功率が１であり、支障なく通信できる状態にある。
【００６６】
また、丸マークを測定点とする実線は、１つの線材２５が有るときのＲＳＳＩを示す。二重丸マークを測定点とする太線は、１つの線材２５が有るときの通信成功率を示す。
【００６７】
線材２５があるとき、無いときと比べて、取り付け角度が０度ではＲＳＳＩが−１１０から−８７まで向上し、通信成功率が０から１に向上している。つまり、取り付け角度０度では、線材２５により、通信できない状態から支障なく通信できる状態に向上している。
【００６８】
線材２５があるとき、無いときと比べて、取り付け角度が９０度、１８０度、２７０度ではＲＳＳＩが−９０〜−８０の範囲から、−８５〜−８０の範囲に向上している。また、これらの取り付け角度での通信成功率は線材２５の有無に関わらず１であり、支障なく通信できる状態にある。
【００６９】
図５では、線材２５がないときに取り付け角度０度で無線通信できない死角になっているが、１つの線材２５を追加することによって死角が解消されている。また、１つの線材２５を追加することによって、取り付け角度０度、１８０度でのＲＳＳＩが向上している。
【００７０】
このように、線材２５は、アンテナ２４ａの性能を向上させている。図５では、無線通信できない死角を解消し、どの取り付け角度でも支障なく通信できるようになったという効果を得ている。
【００７１】
なお、図５は、照明器具２０に線材２５を１つだけ存在する例を示しているが、複数の線材２５を備える場合と大きな差異は見られなかった。
【００７２】
また、図５の例で取り付け角度９０度、２７０度のように、線材２５がなくても無線通信に支障がないケースが存在する。取り付け角度の調整で対応可能なケースでは線材２５の追加はオプションとしてもよい。
【００７３】
［効果等］
以上説明してきたように、実施の形態における照明器具によれば、金属製筐体５２０内のアンテナ２４ａの性能を向上させることができる。
【００７４】
一般に、照明器具の外観の意匠追求の観点からすると、アンテナ２４ａは照明器具を設置した状態で目立たないことが望ましい。例えば、照明器具図２Ａ、図２Ｂのような天井埋め込み型のダウンライトの場合、照明器具の外観を損ねない対策として、施工後に視認することができない天井裏にアンテナを設置する方法もある。しかし、コストダウンの観点から、図１に示したように、主機能である照明の点灯回路（図１では電源回路２２）と共に無線回路２４およびアンテナ２４ａが組み込まれていることが望ましい。通常、点灯回路（つまり電源回路２２）は金属製筐体５２０内に配置される。もし、線材２５がなければ、アンテナ２４ａは、金属製筐体５２０の開口を通して電波を放射または吸収することになる。この場合、アンテナによる電波の放射効率または吸収効率が低下し、通信できないことがある。本実施の形態における照明器具によれば金属製筐体５２０の開口部５２０に線材２５が設けられている。線材２５は、電波の通り道となり、アンテナ２４ａの性能を向上させる。
【００７５】
なお、照明器具２０は、図２Ａ、図２Ｂに示したダウンライト型に限らない。図６は、実施の形態における照明器具の他の構成例を示す側面図である。図６の照明器具２０は、光源２１は、直管型の発光部を有し、たとえば蛍光灯、または複数のＬＥＤ素子を含む。光源２１は、ソケット２１ａ、２１ｂに保持され、給電される。ソケット２１ａ、２１ｂは、直方体形状の金属製筐体５２０に固定されている。金属製筐体５２０は、内部に電源基板２３０、無線基板２４０を備える。電源基板２３０は、図１に示した電源回路２２および制御回路２３を有する。無線基板２４０は、図１に示した無線回路２４およびアンテナ２４ａが形成されている。金属製筐体５２０は、上面に開口部５２０ａを有する。開口部５２０ａには、線材２５およびガイド部材２５ｇが挿入されている。なお、開口部５２０ａは、上面だけでなく、側面、下面にも設けられていてもよい。
【００７６】
図６の構成例においても、図２Ａ、２Ｂと同様の効果を得ることができる。すなわち、線材２５はアンテナ２４ａの性能を向上させる。
【００７７】
以上のように実施の形態に係る照明器具２０は、金属製筐体５２０と、金属製筐体内に配置され、光源２１に電力を供給する電源回路２２と、金属製筐体５２０内に配置されたアンテナ２４ａと、金属製筐体５２０内に配置され、アンテナ２４ａを介して無線信号を受信する無線回路２４と、無線回路２４により受信された無線信号に従って電源回路２２を制御する制御回路２３と、金属製筐体５２０の外部と内部とを連通する少なくとも１つの開口部５２０ａと、両端が開放された導電性を有する線材であって、金属製筺体５２０と絶縁され、少なくとも１つの開口部５２０ａに挿入された線材２５とを備える。
【００７８】
これによれば、金属製筐体内のアンテナの性能を向上させることができる。
【００７９】
ここで、照明器具２０は、さらに管状のガイド部材２５ｇを備え、ガイド部材２５ｇの一方の端部は、１つの開口部５２０ａに接続され、他方の端部は金属性筐体５２０の内部に位置し、線材２５は、ガイド部材２５ｇに挿入され保持されてもよい。
【００８０】
これによれば、線材２５をガイド部材２５ｇに挿入する作業を容易かつ確実にすることができる。
【００８１】
ここで、線材２５は、ガイド部材２５ｇに着脱可能であってもよい。
【００８２】
これによれば、設置状況に応じて適切な箇所に線材を設けることができる。
【００８３】
ここで、ガイド部材２５ｇは屈曲性を有してもよい。
【００８４】
これによれば、金属製筐体５２０内の他の部品とガイド部材２５ｇとの干渉を避けることを容易にする。
【００８５】
ここで、線材２５の長さは、無線信号の略半波長に相当してもよい。
【００８６】
これによれば、アンテナ２４ａの性能をより向上させることができる。
【００８７】
ここで、ガイド部材２５ｇの長さは、無線信号の長さの略４分の１波長に相当していてもよい。
【００８８】
これによれば、アンテナ２４ａの性能をさらに向上させることができる。
【００８９】
ここで、ガイド部材２５ｇの長さは無線信号の略４分の１波長に相当してもよい。
【００９０】
これによれば、線材２５をガイド部材２５ｇに挿入する作業において、線材２５をガイド部材２５ｇの奥まで挿入するだけで、線材２５の最適な位置決めをすることができる。
【００９１】
ここで、照明器具２０は、複数の開口部５２０ａを備え、複数の開口部５２０ａは、金属製筐体５２０の互いに異なる面に形成されてもよい。
【００９２】
これによれば、照明器具の設置状況に応じて、線材２５によるアンテナ性能向上に最適な開口部を選択することができる。
【００９３】
ここで、照明器具２０は、さらに、線材２５の一端に直列に接続された、または線材２５に直列に挿入された誘導性素子または容量性素子を備えてもよい。誘導性素子または容量性素子は、金属製筺体５２０内外の線材２５以外の回路に直接接続されず、かつ、金属製筺体５２０と絶縁される。
【００９４】
これによれば、金属製筐体５２０のサイズ、照明器具２０の設置スペース、設置環境等に応じて、線材２５を適切な長さにすることができる。
【００９５】
ここで、無線信号はＵＨＦ（Ultra High Frequency）帯に含まれてもよい。
【００９６】
これによれば、線材の実効的な長さを５０ｃｍ〜５ｃｍにすることができる。
【００９７】
以上、本発明に係る照明器具について、実施の形態に基づいて説明したが、本発明は、実施の形態に限定されるものではない。本発明の主旨を逸脱しない限り、当業者が思いつく各種変形を本実施の形態に施したものや、実施の形態及び変形例における一部の構成要素を任意に組み合わせて構築される別の形態も、本発明の範囲内に含まれる。
【符号の説明】
【００９８】
２０  照明器具２０
２２  電源回路
２３  制御回路
２４  無線回路
２４ａ  アンテナ
２５  線材
２５ｇ  ガイド部材
５２０  金属製筐体
５２０ａ  開口部
【図１】
0006558626.tif 000002
【図２Ａ】
0006558626.tif 000003
【図２Ｂ】
0006558626.tif 000004
【図３】
0006558626.tif 000005
【図４Ａ】
0006558626.tif 000006
【図４Ｂ】
0006558626.tif 000007
【図４Ｃ】
0006558626.tif 000008
【図４Ｄ】
0006558626.tif 000009
【図５】
0006558626.tif 000010
【図６】
0006558626.tif 000011